(57)【要約】【課題】グリーンマークを帽子のヒサシ又はツバの所要部に容易に取付けできると共に、ヒサシ又はツバの所要部から容易に取外しできるグリーンマークを提供する。【解決手段】帽子Ａのヒサシ２の所要箇所にマグネット片３を埋設し、このマグネット片埋設箇所をマーク取付部４として、このマーク取付部４に、磁性体からなるゴルフのグリーンマーク５をマグネット片３の磁力によって吸着固定するようにした。【選択図】図１
0003134792.tif 000002
【実用新案登録請求の範囲】
【請求項１】
帽子のヒサシ又はツバの所要箇所にマグネット片を埋設し、このマグネット片埋設箇所をマーク取付部として、このマーク取付部に、磁性体からなるゴルフのグリーンマークをマグネット片の磁力によって吸着固定するようにしたことを特徴とするゴルフ用帽子。
【請求項２】
前記マーク取付部のマグネット片埋設箇所には、２個のマグネット片をＮ極とＳ極とが近接対向するように埋設してなる請求項１に記載のゴルフ用帽子。
【考案の詳細な説明】
【技術分野】
【０００１】
本考案は、ゴルフ用の帽子に関するもので、特に本考案は、ゴルフのグリーンマークを取り付けるようにしたゴルフ用帽子に関する。尚、グリーンマークとは、グリーン上でホールの比較的近くに停止したボールは他のプレーヤーのボールとぶつかり合わないようにボールの代えてそのボールの停止している位置に置く金属製のマークのことである。
【背景技術】
【０００２】
グリーンマークを取り付けるようにした従来のゴルフ用帽子として、特許公報等の公知文献を具体的に挙げることはできないが、従来のゴルフ用帽子では、グリーンマークの付いたクリップを、帽子のヒサシ又はツバに挟んで取り付けるようにし、マークにはマグネットが付いていて、クリップ台上でグリーンマークをスライドさせることによって取り外せるようになっている。
【考案の開示】
【考案が解決しようとする課題】
【０００３】
グリーンマークの付いたクリップを帽子のヒサシ又はツバに挟んで取り付けるようにした上記従来の帽子では、プレー開始前のショットの練習時などや一つのホールから次のホールへの移動中などに、クリップが帽子のヒサシ又はツバから外れ易いといった問題があった。
【０００４】
本考案は、上記のような課題に鑑み、グリーンマークを帽子のヒサシ又はツバの所要部に簡単に取り付け易く、またそのヒサシ又はツバの所要部から簡単に取外しできるようにしたグリーンマークを提供することを目的とする。
【課題を解決するための手段】
【０００５】
上記課題を解決するための手段を、後述する実施形態の参照番号を付して説明すると、請求項１に係る考案のゴルフ用帽子は、帽子Ａ，Ｂ，Ｃのヒサシ２，１２又はツバ２２の所要箇所にマグネット片３を埋設し、このマグネット片埋設箇所をマーク取付部４として、このマーク取付部４に、磁性体からなるゴルフのグリーンマーク５をマグネット片３の磁力によって吸着固定するようにしたことを特徴とする。
【０００６】
請求項２は、請求項１に記載のゴルフ用帽子において、前記マーク取付部４のマグネット片埋設箇所には、２個のマグネット片３，３をＮ極とＳ極とが近接対向するように埋設してなることを特徴とする。
【考案の効果】
【０００７】
上記解決手段による考案の効果を、後述する実施形態の参照番号を付して説明すると、請求項１に係る考案によれば、ヒサシ２，１２又はツバ２２の所要箇所にマグネット片３を埋設し、このマグネット片埋設箇所をマーク取付部４として、このマーク取付部４に、磁性体からなるゴルフのグリーンマーク５を、マグネット片３の磁力によって吸着固定するようにしたから、グリーンマーク５をヒサシ２，１２又はツバ２２に取り付ける時は、グリーンマーク５をマーク取付部４の上に乗せ置くだけで、グリーンマーク５は、マグネット片３の磁力によって所定箇所に吸着されて固定され、従ってプレー開始前のショットの練習時や一つのホールから次のホールへの移動中などに帽子Ａが揺れ動いたりしても、グリーンマーク５がヒサシ２，１２又はツバ２２から脱落するようなことがない。また、グリーンマーク５をヒサシ２，１２又はツバ２２から取り外す時は、マーク取付部４に吸着固定されているグリーンマーク５を指で押さえた状態でヒサシ２，１２又はツバ２２の外側へスライドさせることによって、簡単容易に取り外すことができる。
【０００８】
請求項２に係る考案のように、２個のマグネット片３，３をＮ極とＳ極が近接対向するように埋設した場合は、グリーンマーク５をマーク取付部４に固定させようとする時に、グリーンマーク５はマーク取付部４の中心部に合致するように吸着されて的確に固定される。
【考案を実施するための最良の形態】
【０００９】
以下に本考案の好適な実施形態について図面の図１〜図３を参照しながら説明すると、図１の(a) は本考案に係るゴルフ用帽子Ａの斜視図、(b) は(a) に示すゴルフ用帽子Ａの一部拡大図、(c) はマグネット片埋設箇所の拡大縦断面図であり、図２の(a) は本考案に係る他のゴルフ用帽子Ｂの斜視図、(b) は本考案に係る他のゴルフ用帽子Ｃの斜視図である。
【００１０】
図１の(a) に示すゴルフ用帽子Ａは、クラウン形の帽子本体１と、この帽子本体１の前部に取り付けられたヒサシ２とからなるもので、ヒサシ２の所要箇所にマグネット片３を埋設し、このマグネット片埋設箇所をマーク取付部４として、このマーク取付部４に、磁性体からなるゴルフのグリーンマーク５を、マグネット片３の磁力によって吸着固定するようにしている。
【００１１】
この場合、ヒサシ２の所要箇所とは、帽子着用者、即ちゴルフをする人の利き手が右手であれば、図１の(a) に示すようにヒサシ２の右側端部で、帽子本体１に近接した位置とし、また利き手が左手の人であれば、ヒサシ２の左側端部で、帽子本体１に近接した位置とする。
【００１２】
また、マーク取付部４のマグネット片埋設箇所には、図１の(c) 及び(d) に示すように、２個のマグネット片３，３がＮ極とＳ極とが近接対向するように埋設されている。
【００１３】
このように２個のマグネット片３，３をＮ極とＳ極が近接対向するように埋設すれば、グリーンマーク５をヒサシ２のマーク取付部４に固定させようとする時に、グリーンマーク５は、図１の(b) 及び(d) に示すように、マーク取付部４の中心部に合致するように吸着されて的確に固定される。因みに、マグネット片３を所定箇所に１個だけ埋設した場合は、グリーンマーク５がマグネット片埋設箇所の中心部からその端の方へズレて固定され易くなる。
【００１４】
尚、ヒサシ２は、図１の(d) に示すように、厚手の合成樹脂製板からなる芯材２ａと、この芯材２ａの上面側を被う布地製の上被材２ｂと、芯材２ａの下面側を被う布地製の下被材２ｃとによって構成されており、従ってマグネット片３の埋設にあたっては、マグネット片埋設箇所において下被材２ｃを、２個のマグネット片３，３を挿入し得る大きさのコ字状に切り込みを入れた後、当該箇所の芯材２ａを、２個のマグネット片３，３を嵌め込める大きさの矩形状に開口して、その矩形状開口部Ｏに２個のマグネット片３，３を嵌め込のと共に、接着剤によって両マグネット片３，３を上被材２ｂに接着固定し，その後にコ字状に切り開いた下被材２ｃを接着剤で両マグネット片３，３の夫々下面側に接着するようにすればよい。
【００１５】
このゴルフ用帽子Ａは、上記のようにヒサシ２の所要箇所にマグネット片３を埋設し、このマグネット片埋設箇所をマーク取付部４として、このマーク取付部４に、磁性体からなるゴルフのグリーンマーク５を、マグネット片３の磁力によって吸着固定するようにしたから、グリーンマーク５をヒサシ２に取り付ける時は、グリーンマーク５をマーク取付部４の上に乗せ置くだけで、このグリーンマーク５は、マグネット片３の磁力により所定箇所に吸着された固定され、従ってプレー開始前のショット練習時などや一つのホールから次のホールへの移動中などに帽子Ａのヒサシ２が揺れ動いたりしても、グリーンマーク５がヒサシ２から脱落するようなことがない。
【００１６】
また、グリーンマーク５をヒサシ２から取り外す時は、マーク取付部４に吸着固定されているグリーンマーク５を指で押さえた状態で図１の(b) の矢印方向にスライドさせることによって、簡単容易に取り外すことができる。
【００１７】
図２の(a) は本考案に係る他のゴルフ用帽子Ｂを示す。この帽子Ｂは、バンド形の帽子本体１１とヒサシ１２とからなるサンバイザーであって、ヒサシ２の所要箇所にマグネット片３を埋設し、このマグネット片埋設箇所をマーク取付部４として、このマーク取付部４に、磁性体からなるゴルフのグリーンマーク５を、マグネット片３の磁力で吸着固定するようにしている。この場合も、マーク取付部４のマグネット片埋設箇所には、同図に破線で示すように、２個のマグネット片３，３がＮ極とＳ極とが近接対向するように埋設されている。
【００１８】
図２の(b) は本考案に係る更に他のゴルフ用帽子Ｃを示す。この帽子Ｃは、クラウン形の帽子本体２１と、この帽子本体２１の下端部全周にわたって設けられたツバ２２とからなるハットタイプのもので、ツバ２２の所要箇所にマグネット片３を埋設し、このマグネット片埋設箇所をマーク取付部４として、このマーク取付部４に、磁性体からなるゴルフのグリーンマーク５を、マグネット片３の磁力で吸着固定するようにしている。この場合も、マーク取付部４のマグネット片埋設箇所には、同図に破線で示すように、２個のマグネット片３，３がＮ極とＳ極とが近接対向するように埋設されている。
【図面の簡単な説明】
【００１９】
【図１】(a) は本考案に係るゴルフ用帽子を示す斜視図、(b) は(a) に示すゴルフ用帽子の一部拡大図、(c) はマグネット片埋設箇所の拡大縦断面図である。
【図２】(a) は本考案に係る他のゴルフ用帽子を示す斜視図、(b) は本考案に係る更に他のゴルフ用帽子を示す斜視図である。
【符号の説明】
【００２０】
Ａ，Ｂ，Ｃ          ゴルフ用帽子
１，１１，２１      帽子本体
２，１２            ヒサシ
２２                ツバ
３                  マグネット片
４                  マーク取付部
５                  グリーンマーク
【図１】
0003134792.tif 000003
【図２】
0003134792.tif 000004